(57)【要約】 【課題】本発明は、ゴルフプレー中、乗用カートの積載部にゴルフバッグを積載して走行しても、走行時の振動等によって、ゴルフバッグが回転しないようにするためのゴルフバッグ回転防止具を提供することを目的とする。【解決手段】本発明は、折り返し部２ｂを有し先端にベルト通し部材２ｄを係着し、前記ベルト通し部材２ｄよりやや中央寄りに調節部材２ｃを装着したベルト部本体２ａと、前記ベルト部本体２ａの正面に縫着された輪状面ファスナー３、３ａと鉤状面ファスナー３ｂ及び前記ベルト部本体２ａの背面に設けた滑り止め４とからなるベルト部２、及び、前記輪状面ファスナーに正面５ｃが内側になるよう対称的に取り付けられた上面５ａと底面５ｅと正面５ｃと側面５ｄ及び鉤状面ファスナー５ｆが接着された湾曲状の傾斜面５ｂよりなる略三角柱の左右回転防止部材５、５Ａとからなることを特徴とするゴルフバッグ回転防止具１の構成とした。【選択図】  図１
2007029428.tif 000002
【特許請求の範囲】
【請求項１】
ゴルフバッグに取り付ける略三角形状であることを特徴とする左又は右回転防止部材。
【請求項２】
ベルト部と、前記ベルト部に正面が内側になるよう対称的に取り付けられた略三角柱の左右回転防止部材とからなることを特徴とするゴルフバッグ回転防止具。
【請求項３】
ベルト部本体と、前記ベルト部本体と左右連結部材によって連結された留め金具を設けた左右取付部よりなるベルト部、及び、前記ベルト部本体の左右の折り返し部に正面が内側になるよう対称的に取り付けられた略三角柱の左右回転防止部材とからなることを特徴とするゴルフバッグ回転防止具。
【請求項４】
コの字形状の固定部材と、前記固定部材の正面板の下方正面に正面が内側になるよう対称的に取り付けられた略三角柱の左右回転防止部材とからなることを特徴とするゴルフバッグ回転防止具。
【請求項５】
コの字形状の左固定部材と、前記左固定部材の正面板の下方正面に取り付けられた略三角形状の左回転防止部材よりなる左固定セット、及びコの字形状の右固定部材と、前記右固定部材の正面板の下方正面に取り付けられた略三角形状の右回転防止部材よりなる右固定セットを、使用に際して、前記左右固定部材にある左右回転防止部材の正面が内側になるよう対称的にゴルフバッグに取り付けることを特徴とするゴルフバッグ回転防止具。
【発明の詳細な説明】
【技術分野】
【０００１】
本発明は、ゴルフバッグの回転防止に関する発明である。
【背景技術】
【０００２】
ゴルフバッグは一般に、円筒状に構成されたものがよく知られている。すなわちゴルフバッグは、クラブ出入口を有し、円筒状周壁に肩掛用バンド及び手持用把手を取り付けると共にゴルフ用品収納袋部を膨出形成してなる。
【０００３】
ゴルフ場でプレーする場合、ゴルフバッグを乗用カートの積載部に載せて移動することがある。この場合、従来のゴルフバッグは周面が円筒形状に構成されているため、走行時の振動等により回転してしまい中に収納されたクラブ等が動いてしまう。
【０００４】
そのため、クラブに傷が付き、またクラブの取り出し作業が煩わしく面倒なものとなっていた。
【０００５】
そこで、特許文献１に、ゴルフバッグの形状を周囲に大きな膨出部分の存在しない矩形筒状構造であり、縦置状態における底部のみならず、横状態における底部をも専用的に設けて、車での輸送においても不都合を排除したゴルフバッグが考案されいる。
【特許文献１】実開平６−３６６６０
【発明の開示】
【発明が解決しようとする課題】
【０００６】
しかし、特許文献１記載のゴルフバッグは、ゴルフバッグそのものの形状が回転しない特徴をもっている。従って、既存のゴルフバッグに応用することができず、消費者は、新たにゴルフバッグの回転を防ぐ形状のゴルフバッグを購入しなければならない。
【０００７】
そこで、本発明は、既存のゴルフバッグであっても、乗用カートの積載部にゴルフバッグを載せて走行しても、走行時振動等によって、ゴルフバッグが回転しないようにするためのゴルフバッグに装着できる回転防止具を提供することを目的とするものである。
【課題を解決するための手段】
【０００８】
本発明は、上記の課題を解決するために、第１に、ゴルフバッグ６に取り付ける上面５ａと底面５ｅと正面５ｃと側面５ｄと湾曲状の傾斜面５ｂよりなる略三角形状であることを特徴とする左又は右回転防止部材５、５Ａの形状とした。
【０００９】
第２に、折り返し部２ｂを有し先端にベルト通し部材２ｄを係着し、前記ベルト通し部材２ｄよりやや中央寄りに調節部材２ｃを装着したベルト部本体２ａと、前記ベルト部本体２ａの正面に縫着された輪状面ファスナー３、３ａと鉤状面ファスナー３ｂ及び前記ベルト部本体２ａの背面に設けた滑り止め４とからなるベルト部２、及び、前記輪状面ファスナー３に正面５ｃが内側になるよう対称的に取り付けられた上面５ａと底面５ｅと正面５ｃと側面５ｄ及び鉤状面ファスナー５ｆが接着された湾曲状の傾斜面５ｂよりなる略三角柱の左右回転防止部材５、５Ａとからなることを特徴とするゴルフバッグ回転防止具１の構成とした。
【００１０】
第３に、左右の折り返し部７ｂ、７ｂに左右の輪状面ファスナー３、３を逢着したベルト部本体７ａと、前記折り返し部７ｂ、７ｂの両端で左右連結部材７ｅ、７ｆによって連結された留め金具７ｇ、７ｇを設けた左右取付部７ｃ、７ｄよりなるベルト部７、及び、前記折り返し部７ｂ、７ｂに縫着された左右の輪状面ファスナー３、３に正面５ｃが内側になるよう対称的に取り付けられた略三角柱の左右回転防止部材５、５Ａとからなることを特徴とするゴルフバッグ回転防止具１ａの構成とした。
【００１１】
第４に、正面板８ａと折り返し部８ｃ及び先端に傾斜面８ｄを形成した左右の背面板８ｂ、８ｂよりなるコの字形状の固定部材８と、前記正面板８ａの下方正面に接着された輪状面ファスナー３ｃと、前記正面板８ａの下方背面に接着された滑り止め４、及び、前記輪状面ファスナー３ｃに正面５ｃが内側になるよう対称的に取り付けられた略三角柱の左右回転防止部材５、５Ａとからなることを特徴とするゴルフバッグ回転防止具１ｂの構成とした。
【００１２】
第５に、輪状面ファスナー３ｃが接着された正面板９ａと折り返し部９ｃ及び先端に傾斜面９ｄを形成し、滑り止め４が接着された背面板９ｂよりなるコの字形状の左固定部材９と、前記輪状面ファスナー３ｃに取り付けられた左回転防止部材５よりなる左固定セット９ｅ、及び輪状面ファスナー３ｃが接着された正面板９ａと折り返し部９ｃ及び先端に傾斜面９ｄを形成し、滑り止め４が接着された背面板９ｂよりなるコの字形状の右固定部材９Ａと、前記輪状面ファスナー３ｃに取り付けられた右回転防止部材５Ａよりなる右固定セット９ｆを、使用に際して、前記左右固定部材９、９Ａにある左右回転防止部材５、５Ａの正面５ｃが内側になるよう対称的にゴルフバッグ６に取り付けることを特徴とするゴルフバッグ回転防止具１ｃの構成とした。
【発明の効果】
【００１３】
本発明は、以上の構成であるから以下の効果が得られる。第１に、左右回転防止部材５、５Ａをゴルフバッグ６に取り付けることによって、筒状のゴルフバッグ６に平坦部を作り、ゴルフバッグ６が乗用カート１０などによる移動に際しても回転しなくなる。従って、ゴルフクラブの損傷を低減することができる。
【００１４】
本発明であるゴルフバッグ回転防止具は、既存のゴルフバッグ６に簡易に取り付けることができる。従って、回転しない形状のゴルフバッグ６を新たな購入する必要が無く、経済的である。
【発明を実施するための最良の形態】
【００１５】
ゴルフバッグ６を乗用カート１０などで移動する場合において、ゴルフバッグ６の胴体の外周を回すことのできるベルトに、面ファスナーなどによって、ゴム、シリコンなどの振動吸収体からなる、略三角柱の左右回転防止部材５、５Ａを取り付け、筒状のゴルフバッグ６の胴体に簡易に、平面部を作り、振動によるゴルフバッグ６の回転を防止するゴルフバッグ回転防止具１によって実現した。
【実施例１】
【００１６】
以下に添付図面に基づき、本発明であるゴルフバッグ回転防止具について詳細に説明する。図１は本発明であるゴルフバッグ回転防止具の正面図、図２はゴルフバッグ回転防止具の背面図である。
【００１７】
図１、図２に示すように、ゴルフバッグ回転防止具１は、折り返し部２ｂを有し先端にベルト通し部材２ｄを係着し、前記ベルト通し部材２ｄよりやや中央寄りに調節部材２ｃを装着したベルト部本体２ａと、前記ベルト部本体２ａの正面に縫着された輪状面ファスナー３、３ａと鉤状面ファスナー３ｂ及び前記ベルト部本体２ａの背面に設けた滑り止め４とからなるベルト部２、及び、前記輪状面ファスナー３に正面５ｃが内側になるよう対称的に取り付けられた上面５ａと底面５ｅと正面５ｃと側面５ｄ及び鉤状面ファスナー５ｆが接着された湾曲状の傾斜面５ｂよりなる略三角柱の左右回転防止部材５、５Ａとからなる。ここで、対称的に取り付けるとは、左右回転防止部材５、５Ａを、ベルト部２の輪状面ファスナー３の対称位置に対向させて取り付けることをいう。
【００１８】
図３は本発明であるゴルフバッグ回転防止具の左右回転防止部材の平面図である。図３（Ａ）は左回転防止部材５、（Ｂ）は右回転防止部材５Ａである。なお、左右回転防止部材５、５Ａの形状は同一であるが、左右回転防止部材５、５Ａを同時に使用するときは、お互い側面５ｄを外側に向けてゴルフバッグ６に取り付けるものとする。
【００１９】
図４はゴルフバッグ回転防止具の右回転防止部材の正面図である。図５は本発明であるゴルフバッグ回転防止具の右回転防止部材の背面図である。図６は本発明であるゴルフバッグ回転防止具の右回転防止部材の側面図、図７はゴルフバッグ回転防止具の右回転防止部材の斜視図である。
【００２０】
左右回転防止部材５、５Ａは上面５ａと底面５ｅと正面５ｃと側面５ｄと湾曲状の傾斜面５ｂよりなる略三角形状であることを特徴とする。その素材としては、ゴム、シリコンなどの振動吸収体が好ましい。
【００２１】
湾曲状の傾斜面５ｂは、湾曲状の傾斜面５ｂがゴルフバッグ６側に向けられてベルト部２に取り付けられることから、ゴルフバッグ６の胴体部分の円筒形状に合わせて、ゆるやかに湾曲している。
【００２２】
また正面５ｃはゴルフバッグ６を乗用カートに載せるとき積載部に接触する面である。
【００２３】
図５に示すように、湾曲状の傾斜面５ｂには鉤状面ファスナー５ｆが接着されている。この鉤状面ファスナー５ｆを前述したベルト部本体２ａに縫着された輪状面ファスナー３に係着させることで、左右回転防止部材５、５Ａをベルト部本体２ａに容易に載設できる。
【００２４】
図８は本発明であるゴルフバッグ回転防止具を使用した状態のゴルフバッグの全体図である。図８に示すように、ゴルフバッグ回転防止具１は、ベルト部２をゴルフバッグ６に巻き付けた状態で使用する。
【００２５】
本発明であるゴルフバッグ回転防止具１のベルト部２をゴルフバッグ６の筒状の胴体部に巻き付け、ベルト通し部材２ｄにベルト部２の末端を通し、折り返し部２ｂで折り返して、輪状面ファスナー３ａと鉤状面ファスナー３ｂを合わせ、きつく固定する。
【００２６】
そして、左右回転防止部材５、５Ａの間隔を調整して、正面５ｃが乗用カートの積載部の接触面に対して平行になるようにする。これにより、左右回転防止部材５、５Ａの正面５ｃが、円筒形のゴルフバッグ６の胴体部に平坦部を与える。
【００２７】
また、調節部材２ｃにより、ゴルフバッグ６の形状が異なっても、輪状面ファスナー３、３ａと鉤状面ファスナー３ｂの合わせ面の位置を調節することができる。
【００２８】
さらに、ベルト部本体２ａの背面に滑り止め４が設けられているため、一度ゴルフバッグ回転防止具１をきつくゴルフバッグ６に固定すると、振動を受けてもゴルフバッグ回転防止具１の位置がずれにくい。前記滑り止め４の素材は、発泡ゴムなど、ゴルフバッグ６に対して摩擦抵抗の高い素材であれば特に限定しない。
【００２９】
従って、本発明であるゴルフバッグ回転防止具１を既存のゴルフバッグ６に取り付けることで、ゴルフバッグ６を乗用カートに積載し移動しても、ゴルフバッグ６の回転を防止することができる。
【実施例２】
【００３０】
図９は本発明であるゴルフバッグ回転防止具（第２実施例）の正面図である。図９に示すように、ゴルフバッグ回転防止具１ａは、左右の折り返し部７ｂ、７ｂに左右の輪状面ファスナー３、３を逢着したベルト部本体７ａと、前記折り返し部７ｂ、７ｂの両端で左右連結部材７ｅ、７ｆによって連結された留め金具７ｇ、７ｇを設けた左右取付部７ｃ、７ｄよりなるベルト部７、及び、前記折り返し部７ｂ、７ｂに縫着された左右の輪状面ファスナー３、３に正面５ｃが内側になるよう対称的に取り付けられた略三角柱の左右回転防止部材５、５Ａとからなる。
【００３１】
左右回転防止部材５、５Ａが係着されている箇所は、ベルト部本体７ａの両端部であり、左右連結部材７ｅ、７ｆに通して折り返された左右の折り返し部７ｂ、７ｂである。
【００３２】
即ち、左右回転防止部材５、５Ａが係着されている左右の輪状面ファスナー３、３はベルト部本体７ａの背面にあたる。
【００３３】
図１０は本発明であるゴルフバッグ回転防止具（第２実施例）を開いた状態を示す正面図である。図１０に示すように、開いたベルト部本体７ａの正面中央部には輪状面ファスナー３が縫着され両端には鉤状面ファスナー３ｂ、３ｂが縫着されている。
【００３４】
図１１は本発明であるゴルフバッグ回転防止具（第２実施例）の背面図である。図１１に示すように、ベルト部本体７ａの背面中央部には滑り止め４が設けられている。
【００３５】
図１２は本発明であるゴルフバッグ回転防止具（第２実施例）を使用した状態のゴルフバッグの全体図である。図１２に示すように、ゴルフバッグ回転防止具１ａは両端に設けられた留め金具７ｇ、７ｇによって、ゴルフバッグ６に予め設けられている留め金具７ｇ受けに嵌めて装着する。
【００３６】
本発明であるゴルフバッグ回転防止具１ａの左右の折り返し部７ｂ、７ｂを、左右連結部材７ｅ、７ｆに通し、前記折り返し部７ｂ、７ｂで折り返して、輪状面ファスナー３と鉤状面ファスナー３ｂを合わせ、きつく固定する。
【００３７】
そして、左右回転防止部材５、５Ａの間隔を調整して、正面５ｃが乗用カートの積載部の接触面に対して平行になるようにする。これにより、左右回転防止部材５、５Ａの正面５ｃが、円筒形のゴルフバッグ６の胴体部に平坦部を与える。
【００３８】
さらに、ベルト部本体７ａの背面に滑り止め４が設けられている上に、ベルト部２の両端が、左右の留め金具７ｇによりゴルフバッグ６に固定されることから、実施例１に比べ、格段にゴルフバッグ回転防止具１ａの位置がずれることがない。
【実施例３】
【００３９】
図１３は本発明であるゴルフバッグ回転防止具（第３実施例）の正面斜視図である。図１３に示すように、ゴルフバッグ回転防止具１ｂは、正面板８ａと折り返し部８ｃ及び先端に傾斜面８ｄを形成した左右の背面板８ｂ、８ｂよりなるコの字形状の固定部材８と、前記正面板８ａの下方正面に接着された輪状面ファスナー３ｃと、前記正面板８ａの下方背面に接着された滑り止め４、及び、前記輪状面ファスナー３ｃに正面５ｃが内側になるよう対称的に取り付けられた略三角柱の左右回転防止部材５、５Ａとからなる。
【００４０】
正面板８ａは、ゴルフバッグ６の円筒形状に合わせて、緩やかに湾曲させることが望ましい。
【００４１】
図１４は本発明であるゴルフバッグ回転防止具（第３実施例）の背面斜視図である。図１４に示すように、左右の背面板８ｂ、８ｂの先端は傾斜面８ｄ、８ｄとなっている。
【００４２】
図１５は本発明であるゴルフバッグ回転防止具（第３実施例）を使用した状態のゴルフバッグの全体図である。図１５に示すように、ゴルフバッグ回転防止具１ｂは左右の背面板８ｂ、８ｂをゴルフバッグ６の開口部６ａ等に差し込む形で取り付けて使用する。
【００４３】
本発明であるゴルフバッグ回転防止具１ｂが、実施例１〜４に示す取り付け方法の中でゴルフバッグ６への取り付けが最も容易である。
【実施例４】
【００４４】
図１６は本発明であるゴルフバッグ回転防止具（第４実施例）の正面斜視図である。図１６に示すように、ゴルフバッグ回転防止具１ｃは、輪状面ファスナー３ｃが接着された正面板９ａと折り返し部９ｃ及び先端に傾斜面９ｄを形成し、滑り止め４が接着された背面板９ｂよりなるコの字形状の左固定部材９と、前記輪状面ファスナー３ｃに取り付けられた略三角柱の左回転防止部材５よりなる左固定セット９ｅ、及び輪状面ファスナー３ｃが接着された正面板９ａと折り返し部９ｃ及び先端に傾斜面９ｄを形成し、滑り止め４が接着された背面板９ｂよりなるコの字形状の右固定部材９Ａと、前記輪状面ファスナー３ｃに取り付けられた右回転防止部材５Ａよりなる右固定セット９ｆを、を、使用に際して、前記左右固定部材９、９Ａにある左右回転防止部材５、５Ａの正面５ｃが内側になるよう対称的にゴルフバッグ６に取り付けてなる。
【００４５】
図１７は本発明であるゴルフバッグ回転防止具（第４実施例）の背面斜視図である。図１７に示すように、左右固定部材９、９Ａは、ゴルフバッグ６に引っ掛けるためにコの字形状である。    
【００４６】
図１８は本発明であるゴルフバッグ回転防止具（第４実施例）を使用した状態のゴルフバッグの全体図である。図１８に示すように、ゴルフバッグ回転防止具１ｃはそれぞれの背面板９ｂ、９ｂをゴルフバッグ６の開口部６ａ等に差し込む形で取り付けて使用する。左右固定部材９、９Ａは個別になっているので取付間隔は自在に調節できる。
【００４７】
図１９は本発明であるゴルフバッグ回転防止具を装備したゴルフバッグを乗用カートに積載したとの模式図である。図１９に示すように、ゴルフプレーヤーは、ゴルフバッグ６を乗用カート１０の積載部１１に積載してゴルフ場内を移動する。
【００４８】
一般的に、ゴルフプレーヤーは４人〜２人で組みを構成してラウンドする。従って、ゴルフバッグ６は、プレーヤーの人数分、乗用カート１０に積載される。ここでは、４バックでラウンドする場合について図示した。
【００４９】
図２０は本発明であるゴルフバッグ回転防止具を装着した位置（図１９一点破線Ａ−Ａ）での断面図である。ゴルフバッグ６は乗用カート１０の積載部１１に、開口部６ａを上に向け、取手部６ｂにベルト１２を通し、固定される。
【００５０】
しかし、ゴルフバッグ６には各々形状が異なり、たとえベルト１２などで固定したとしても、ゴルフバッグ６の回転、振動を充分防止することはできない。そこで、本発明であるゴルフバッグ回転防止具１ａ、１ｂ、１ｃ、１ｄを装着することで、異なる形状のゴルフバッグ６であっても、簡単に確実に回転振動を防止することができることとなる。
【００５１】
ここでは、左右回転防止部材５、５Ａのみ記載し、左右回転防止部材５、５Aをゴルフバッグ６に取り付ける方法は、上述した実施例１〜４に示す方法の何れかを選択することができる。なお、上述した実施例１〜４以外の取り付け方法であっても、左右回転防止部材５、５Ａをゴルフバッグ６の所定の位置に固定することができればよい。
【００５２】
また、４バックを乗用カート１０に積載する場合は、両端のゴルフバッグ６は、積載部１１の押さえ部１１ａが接触する側と反対側に、左右回転防止部材５、５Ａの一方を取り付けるだけでよい場合もある。
【図面の簡単な説明】
【００５３】
【図１】本発明であるゴルフバッグ回転防止具の正面図である。
【図２】本発明であるゴルフバッグ回転防止具の背面図である。
【図３】本発明であるゴルフバッグ回転防止具の左右回転防止部材の平面図である。
【図４】本発明であるゴルフバッグ回転防止具の右回転防止部材の正面図である。
【図５】本発明であるゴルフバッグ回転防止具の右回転防止部材の背面図である。
【図６】本発明であるゴルフバッグ回転防止具の右回転防止部材の側面図である。
【図７】本発明であるゴルフバッグ回転防止具の右回転防止部材の斜視図である。
【図８】本発明であるゴルフバッグ回転防止具を使用した状態のゴルフバッグの全体図である。
【図９】本発明であるゴルフバッグ回転防止具（第２実施例）の正面図である。
【図１０】本発明であるゴルフバッグ回転防止具（第２実施例）を開いた状態を示す正面図である。
【図１１】本発明であるゴルフバッグ回転防止具（第２実施例）の背面図である。
【図１２】本発明であるゴルフバッグ回転防止具（第２実施例）を使用した状態のゴルフバッグの全体図である。
【図１３】本発明であるゴルフバッグ回転防止具（第３実施例）の正面斜視図である。
【図１４】本発明であるゴルフバッグ回転防止具（第３実施例）の背面斜視図である。
【図１５】本発明であるゴルフバッグ回転防止具（第３実施例）を使用した状態のゴルフバッグの全体図である。
【図１６】本発明であるゴルフバッグ回転防止具（第４実施例）の正面斜視図である。
【図１７】本発明であるゴルフバッグ回転防止具（第４実施例）の背面斜視図である。
【図１８】本発明であるゴルフバッグ回転防止具（第４実施例）を使用した状態のゴルフバッグの全体図である。
【図１９】本発明であるゴルフバッグ回転防止具を装備したゴルフバッグを乗用カートに積載したとの模式図である。
【図２０】本発明であるゴルフバッグ回転防止具を装着した位置（図１９一点破線Ａ−Ａ）での断面図である。
【符号の説明】
【００５４】
１      ゴルフバッグ回転防止具
１ａ    ゴルフバッグ回転防止具
１ｂ    ゴルフバッグ回転防止具
１ｃ    ゴルフバッグ回転防止具
２      ベルト部
２ａ    ベルト部本体
２ｂ    折り返し部
２ｃ    調節部材
２ｄ    ベルト通し部材
３      輪状面ファスナー
３ａ    輪状面ファスナー
３ｂ    鉤状面ファスナー
３ｃ    輪状面ファスナー
４      滑り止め
５      左回転防止部材
５Ａ    右回転防止部材
５ａ    上面
５ｂ    傾斜面
５ｃ    正面
５ｄ    側面
５ｅ    底面
５ｆ    鉤状面ファスナー
６      ゴルフバッグ
６ａ    開口部
６ｂ    取手部
７      ベルト部
７ａ    ベルト部本体
７ｂ    折り返し部
７ｃ    左取付部
７ｄ    右取付部
７ｅ    左連結部材
７ｆ    右連結部材
７ｇ    留め金具
８      固定部材
８ａ    正面板
８ｂ    背面板
８ｃ    折り返し部
８ｄ    傾斜面
９      左固定部材
９Ａ    右固定部材
９ａ    正面板
９ｂ    背面板
９ｃ    折り返し部
９ｄ    傾斜面
９ｅ    左固定セット
９ｆ    右固定セット
１０    乗用カート
１１    積載部
１１ａ  押さえ部
１２    ベルト
【図１】
2007029428.tif 000003
【図２】
2007029428.tif 000004
【図３】
2007029428.tif 000005
【図４】
2007029428.tif 000006
【図５】
2007029428.tif 000007
【図６】
2007029428.tif 000008
【図７】
2007029428.tif 000009
【図８】
2007029428.tif 000010
【図９】
2007029428.tif 000011
【図１０】
2007029428.tif 000012
【図１１】
2007029428.tif 000013
【図１２】
2007029428.tif 000014
【図１３】
2007029428.tif 000015
【図１４】
2007029428.tif 000016
【図１５】
2007029428.tif 000017
【図１６】
2007029428.tif 000018
【図１７】
2007029428.tif 000019
【図１８】
2007029428.tif 000020
【図１９】
2007029428.tif 000021
【図２０】
2007029428.tif 000022